(57)【要約】【課題】移動体通信システムにおいて、移動端末装置が何処へ移動しても、その移動端末装置がテレビまたはラジオ放送を受信する場合には、即座に放送の視聴を開始することができ、また、テレビまたはラジオ放送を行う放送システム側において、放送した番組についての移動体通信システムにおける視聴率の調査を容易に行うことができる無線基地局装置、移動体通信ネットワーク制御装置および移動端末装置を提供する。【解決手段】移動体通信システム１０１において、無線基地局装置１０３から発せられる報知情報の中に、その地域のチャンネルの構成やチャンネルサーチを迅速に行うための情報を含め、これらを移動端末装置１０２に送信し、また、移動端末装置１０２で視聴された番組に関する情報を、移動端末装置１０２から移動体通信ネットワーク制御装置１０４経由で視聴率調査会社１１０または放送システム１０７に送信する。【選択図】図１
2006115242.tif 000002
【特許請求の範囲】
【請求項１】
移動端末装置とともに移動体通信システムを形成する無線基地局装置であって、前記移動端末装置がテレビまたはラジオ放送を受信するために必要な各チャンネルの割り当てに関する情報および放送信号の特性を示す情報について、それぞれ１つまたは複数種類を報知情報として、前記移動端末装置に対して送信することを特徴とする無線基地局装置。
【請求項２】
請求項１記載の無線基地局装置であって、前記テレビまたはラジオ放送の受信装置を具備し、前記各チャンネルの割り当てに関する情報および放送信号の特性を示す情報を、前記受信装置から取得することを特徴とする無線基地局装置。
【請求項３】
請求項１または請求項２記載の無線基地局装置であって、前記各チャンネルの割り当てに関する情報および放送信号の特性を示す情報を複数取得可能である場合、これらの情報に対して、前記テレビまたはラジオ放送の電波の伝播状況および前記放送信号の特性を示す情報によって重み付けを行うことを特徴とする無線基地局装置。
【請求項４】
請求項１または請求項２または請求項３記載の無線基地局装置とともに移動体通信システムを形成する移動体通信ネットワーク制御装置であって、前記各チャンネルの割り当てに関する情報および放送信号の特性を示す情報を、前記テレビまたはラジオ放送を送信する放送システムから取得することを特徴とする移動体通信ネットワーク制御装置。
【請求項５】
請求項４記載の移動体通信ネットワーク制御装置であって、前記各チャンネルの割り当てに関する情報および放送信号の特性を示す情報を複数取得可能である場合、これらの情報に対して、前記無線基地局装置が設置されている位置によって重み付けを行うことを特徴とする移動体通信ネットワーク制御装置。
【請求項６】
請求項１または請求項２または請求項３記載の無線基地局装置であって、前記各チャンネルの割り当てに関する情報および放送信号の特性を示す情報を、前記テレビまたはラジオ放送の受信装置および請求項４または請求項５記載の移動体通信ネットワーク制御装置のどちらか一方または両方から取得することを可能とする無線基地局装置。
【請求項７】
請求項１または請求項２または請求項３または請求項６記載の無線基地局装置および請求項４または請求項５記載の移動体通信ネットワーク制御装置とともに移動体通信システムを形成する移動端末装置であって、前記報知情報から、前記各チャンネルの割り当てに関する情報および放送信号の特性を示す情報を取得し、これらの情報を用いて、前記テレビまたはラジオ放送を受信することを特徴とする移動端末装置。
【請求項８】
請求項７記載の移動端末装置であって、前記無線基地局装置または移動体通信ネットワーク制御装置において重み付けされた前記各チャンネルの割り当てに関する情報および放送信号の特性を示す情報を前記報知情報から取得し、これらの情報を前記重みに応じて選択して、その情報を用いて前記テレビまたはラジオ放送を受信することを特徴とする移動端末装置。
【請求項９】
請求項４または請求項５記載の移動体通信ネットワーク制御装置であって、前記各チャンネルの割り当てに関する情報および放送信号の特性を示す情報に対して、課金処理を行うための課金情報管理機能部を備えたことを特徴とする移動体通信ネットワーク制御装置。
【請求項１０】
請求項９記載の移動体通信ネットワーク制御装置であって、前記各チャンネルの割り当てに関する情報および放送信号の特性を示す情報に対して暗号化を行い、前記暗号化された前記情報を復号するための鍵に関する情報は、前記課金情報管理機能部において課金処理が適正に行われた場合のみ、前記移動端末装置に対して提供することを特徴とする移動体通信ネットワーク制御装置。
【請求項１１】
請求項９または請求項１０記載の移動体通信ネットワーク制御装置であって、前記報知情報に含まれ、前記各チャンネルの割り当てに関する情報および放送信号の特性を示す情報に対する課金は、前記課金情報管理機能部により、前記移動体通信システムを運営する事業者から前記移動端末装置の利用者に対して行われるよう設定することを特徴とする移動体通信ネットワーク制御装置。
【請求項１２】
請求項７または請求項８記載の移動端末装置であって、現在および過去に選局したテレビまたはラジオ放送のチャンネルに関する情報を記憶し、これらの情報を、前記移動体通信ネットワーク制御装置が前記無線基地局装置経由で取得するために、前記記憶した情報を前記無線基地局装置に送信することを特徴とする移動端末装置。
【請求項１３】
請求項４または請求項５または請求項９または請求項１０または請求項１１記載の移動体通信ネットワーク制御装置であって、請求項１２記載の移動端末装置から受信した前記選局したテレビまたはラジオ放送のチャンネルに関する情報を、視聴率調査のための事業者に対して送信することを特徴とする移動体通信ネットワーク制御装置。
【請求項１４】
請求項１３記載の移動体通信ネットワーク制御装置であって、前記報知情報に含まれる前記各チャンネルの割り当てに関する情報および放送信号の特性を示す情報に対する課金は、前記課金情報管理機能部により、前記移動体通信システムを運営する事業者から前記視聴率調査のための事業者に対して行われることを特徴とする移動体通信ネットワーク制御装置。
【発明の詳細な説明】
【技術分野】
【０００１】
本発明は、携帯電話等の移動端末装置、無線基地局装置および移動体通信ネットワーク制御装置を有する移動体通信システムにおけるテレビ放送またはラジオ放送の受信技術に関するものである。
【背景技術】
【０００２】
従来、移動体通信システムにおける携帯電話等の移動端末装置が、テレビやラジオ放送を受信する場合、移動先の地域でチャンネルの構成、即ち放送局とチャンネル番号の組み合わせが変わったときには、予め記憶されたチャンネル構成を変更するか、またはチャンネルサーチによってチャンネル構成を再設定する必要があった。
【０００３】
これに対して、移動体通信システムにおける無線基地局装置から、無線基地局装置が位置する地域のコードを、その地域に移動してきた移動端末装置に対して送信し、一方、移動端末装置は、その地域のコードに従って、予め記憶されたチャンネル構成を自動的に変更する技術（例えば、特許文献１を参照）がある。
【０００４】
また、地上波デジタルテレビまたはラジオ放送において、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）復調して放送を受信するためには、まず“モード”と“ガードインタバル”という伝送パラメータを知る必要があるが、そのためには“モード”と“ガードインタバル”の組み合わせを予め記憶しておくか、または複数の組み合わせを逐次受信して見つける必要がある。
【０００５】
なお、ここで“モード”とは、ＯＦＤＭのキャリア間隔によって区別される伝送形態であり、“ガードインタバル”とは、ゴーストなどのマルチパスに起因する障害を解消するため、有効シンボルと有効シンボルとの間に配置されるシンボル期間である。
【特許文献１】特開２００３−３０９７７４号公報
【発明の開示】
【発明が解決しようとする課題】
【０００６】
しかしながら上記のような特許文献１に開示された移動体通信システムでは、移動端末装置が、移動先の地域に関するチャンネル構成の情報を予め記憶していない場合、チャンネルサーチの手段によってチャンネル構成を再設定および記憶する必要があった。その場合、放送の視聴を開始するまでに、一般には数十秒から数分という多くの時間が必要となる。なお、チャンネルサーチとは、一般には全チャンネルを順番に選局し、放送が受信可能なチャンネルを記憶することによって、次回の放送の受信を容易にする方法である。
【０００７】
また、地上波デジタルテレビまたはラジオ放送において、移動端末装置が“モード”や“ガードインタバル”といった伝送パラメータを予め記憶していない場合、これらの組み合わせを逐次受信して見つける必要があるため、放送の視聴を開始するまでに相応の時間が必要となっていた。
【０００８】
さらに、携帯電話等の移動端末装置の場合、小型で可搬性を求められることから、視聴率調査を目的として視聴した番組の履歴を記録するための装置の取り付けが困難であり、テレビやラジオ放送の視聴率調査を目的とした視聴番組の履歴を記録することが困難であった。そのため、テレビまたはラジオ放送を行う放送システム側において、放送した番組についての移動体通信システムにおける視聴率を調査することも困難であった。
【０００９】
本発明は、上記従来の問題点を解決するもので、移動体通信システムにおいて、移動端末装置が何処へ移動しても、その移動端末装置がテレビまたはラジオ放送を受信する場合には、即座に放送の視聴を開始することができ、また、テレビまたはラジオ放送を行う放送システム側において、放送した番組についての移動体通信システムにおける視聴率の調査を容易に行うことができる無線基地局装置、移動体通信ネットワーク制御装置および移動端末装置を提供する。
【課題を解決するための手段】
【００１０】
上記の課題を解決するために、本発明の請求項１に記載の無線基地局装置は、移動端末装置とともに移動体通信システムを形成する無線基地局装置であって、前記移動端末装置がテレビまたはラジオ放送を受信するために必要な各チャンネルの割り当てに関する情報および放送信号の特性を示す情報について、それぞれ１つまたは複数種類を報知情報として、前記移動端末装置に対して送信する構成としたことを特徴とする。
【００１１】
また、本発明の請求項２に記載の無線基地局装置は、請求項１記載の無線基地局装置であって、前記テレビまたはラジオ放送の受信装置を具備し、前記各チャンネルの割り当てに関する情報および放送信号の特性を示す情報を、前記受信装置から取得する構成としたことを特徴とする。
【００１２】
また、本発明の請求項３に記載の無線基地局装置は、請求項１または請求項２記載の無線基地局装置であって、前記各チャンネルの割り当てに関する情報および放送信号の特性を示す情報を複数取得可能である場合、これらの情報に対して、前記テレビまたはラジオ放送の電波の伝播状況および前記放送信号の特性を示す情報によって重み付けを行う構成としたことを特徴とする。
【００１３】
また、本発明の請求項４に記載の移動体通信ネットワーク制御装置は、請求項１または請求項２または請求項３記載の無線基地局装置とともに移動体通信システムを形成する移動体通信ネットワーク制御装置であって、前記各チャンネルの割り当てに関する情報および放送信号の特性を示す情報を、前記テレビまたはラジオ放送を送信する放送システムから取得する構成としたことを特徴とする。
【００１４】
また、本発明の請求項５に記載の移動体通信ネットワーク制御装置は、請求項４記載の移動体通信ネットワーク制御装置であって、前記各チャンネルの割り当てに関する情報および放送信号の特性を示す情報を複数取得可能である場合、これらの情報に対して、前記無線基地局装置が設置されている位置によって重み付けを行う構成としたことを特徴とする。
【００１５】
また、本発明の請求項６に記載の無線基地局装置は、請求項１または請求項２または請求項３記載の無線基地局装置であって、前記各チャンネルの割り当てに関する情報および放送信号の特性を示す情報を、前記テレビまたはラジオ放送の受信装置および請求項４または請求項５記載の移動体通信ネットワーク制御装置のどちらか一方または両方から取得することを可能とする構成としたことを特徴とする。
【００１６】
また、本発明の請求項７に記載の移動端末装置は、請求項１または請求項２または請求項３または請求項６記載の無線基地局装置および請求項４または請求項５記載の移動体通信ネットワーク制御装置とともに移動体通信システムを形成する移動端末装置であって、前記報知情報から、前記各チャンネルの割り当てに関する情報および放送信号の特性を示す情報を取得し、これらの情報を用いて、前記テレビまたはラジオ放送を受信する構成としたことを特徴とする。
【００１７】
また、本発明の請求項８に記載の移動端末装置は、請求項７記載の移動端末装置であって、前記無線基地局装置または移動体通信ネットワーク制御装置において重み付けされた前記各チャンネルの割り当てに関する情報および放送信号の特性を示す情報を前記報知情報から取得し、これらの情報を前記重みに応じて選択して、その情報を用いて前記テレビまたはラジオ放送を受信する構成としたことを特徴とする。
【００１８】
また、本発明の請求項９に記載の移動体通信ネットワーク制御装置は、請求項４または請求項５記載の移動体通信ネットワーク制御装置であって、前記各チャンネルの割り当てに関する情報および放送信号の特性を示す情報に対して、課金処理を行うための課金情報管理機能部を備えたことを特徴とする。
【００１９】
また、本発明の請求項１０に記載の移動体通信ネットワーク制御装置は、請求項９記載の移動体通信ネットワーク制御装置であって、前記各チャンネルの割り当てに関する情報および放送信号の特性を示す情報に対して暗号化を行い、前記暗号化された前記情報を復号するための鍵に関する情報は、前記課金情報管理機能部において課金処理が適正に行われた場合のみ、前記移動端末装置に対して提供する構成としたことを特徴とする。
【００２０】
また、本発明の請求項１１に記載の移動体通信ネットワーク制御装置は、請求項９または請求項１０記載の移動体通信ネットワーク制御装置であって、前記報知情報に含まれ、前記各チャンネルの割り当てに関する情報および放送信号の特性を示す情報に対する課金は、前記課金情報管理機能部により、前記移動体通信システムを運営する事業者から前記移動端末装置の利用者に対して行われるよう設定する構成としたことを特徴とする。
【００２１】
また、本発明の請求項１２に記載の移動端末装置は、請求項７または請求項８記載の移動端末装置であって、現在および過去に選局したテレビまたはラジオ放送のチャンネルに関する情報を記憶し、これらの情報を、前記移動体通信ネットワーク制御装置が前記無線基地局装置経由で取得するために、前記記憶した情報を前記無線基地局装置に送信する構成としたことを特徴とする。
【００２２】
また、本発明の請求項１３に記載の移動体通信ネットワーク制御装置は、請求項４または請求項５または請求項９または請求項１０または請求項１１記載の移動体通信ネットワーク制御装置であって、請求項１２記載の移動端末装置から受信した前記選局したテレビまたはラジオ放送のチャンネルに関する情報を、視聴率調査のための事業者に対して送信する構成としたことを特徴とする。
【００２３】
また、本発明の請求項１４に記載の移動体通信ネットワーク制御装置は、請求項１３記載の移動体通信ネットワーク制御装置であって、前記報知情報に含まれる前記各チャンネルの割り当てに関する情報および放送信号の特性を示す情報に対する課金は、前記課金情報管理機能部により、前記移動体通信システムを運営する事業者から前記視聴率調査のための事業者に対して行われる構成としたことを特徴とする。
【００２４】
以上により、移動体通信システムにおける移動端末装置が、テレビまたはラジオ放送を受信する場合、チャンネルサーチによってチャンネル番号や伝送パラメータを検索する必要を無くすことができる。
【００２５】
また、移動体通信システムにおいて、移動端末装置から得た現在および過去に選局したテレビまたはラジオ放送のチャンネルに関する情報を、移動体通信システム側から視聴情報として、視聴率調査のための事業者を通じて、または直接的に、テレビまたはラジオ放送を行う放送システム側に提供することができる。
【発明の効果】
【００２６】
以上のように本発明によれば、移動体通信システムにおける移動端末装置が、テレビまたはラジオ放送を受信する場合、チャンネルサーチによってチャンネル番号や伝送パラメータを検索する必要を無くすことができる。
【００２７】
そのため、移動体通信システムにおいて、移動端末装置が何処へ移動しても、その移動端末装置がテレビまたはラジオ放送を受信する場合には、即座に放送の視聴を開始することができる。
【００２８】
また、移動体通信システムにおいて、移動端末装置から得た現在および過去に選局したテレビまたはラジオ放送のチャンネルに関する情報を、移動体通信システム側から視聴情報として、視聴率調査のための事業者を通じて、または直接的に、テレビまたはラジオ放送を行う放送システム側に提供することができる。
【００２９】
そのため、テレビまたはラジオ放送を行う放送システム側において、放送した番組についての移動体通信システムにおける視聴率の調査を容易に行うことができる。
【発明を実施するための最良の形態】
【００３０】
以下、本発明の実施の形態を示す無線基地局装置、移動体通信ネットワーク制御装置および移動端末装置について、図面を参照しながら具体的に説明する。
まず、図面の内容について簡単に説明する。
【００３１】
図１は本発明の実施の形態の無線基地局装置、移動体通信ネットワーク制御装置および移動端末装置を含む移動体通信システムの構成概念図、図２は本発明の実施の形態の移動端末装置の機能ブロック図、図３は本発明の実施の形態の無線基地局装置の機能ブロック図、図４は本発明の実施の形態の移動体通信ネットワーク制御装置の機能ブロック図、図５は本発明の実施の形態における報知情報・視聴情報管理サーバーの機能ブロック図、図６は本発明の実施の形態におけるエリア、エリアコード、無線基地局装置および送信局との関係を表す概念図、図７は本発明の実施の形態における報知情報を示す概念図、図８は本発明の実施の形態の移動端末装置において現在および過去に選局したテレビまたはラジオ放送のチャンネルに関する情報を示す概念図、図９は本発明の実施の形態の移動端末装置がテレビまたはラジオ放送を受信するために必要な情報の取得を要求する際の情報を示す概念図、図１０は本発明の実施の形態の移動体通信ネットワーク制御装置におけるテレビまたはラジオ放送を受信するために必要な情報を取得する際の動作を示すフローチャート、図１１は本発明の実施の形態の無線基地局装置における移動体通信ネットワーク制御装置からテレビまたはラジオ放送を受信するために必要な情報を取得する際の動作を示すフローチャート、図１２は本発明の実施の形態の無線基地局装置におけるテレビまたはラジオ放送の受信機からテレビまたはラジオ放送を受信するために必要な情報を取得する際の動作を示すフローチャート、図１３は本発明の実施の形態の無線基地局装置における移動体通信ネットワーク制御装置およびテレビまたはラジオ放送の受信機からテレビまたはラジオ放送を受信するために必要な情報を取得する際の動作を示すフローチャート、図１４は本発明の実施の形態の移動体通信ネットワーク制御装置におけるテレビまたはラジオ放送を受信するために必要な情報に重み付けをする際の動作を示すフローチャート、図１５は本発明の実施の形態の無線基地局装置におけるテレビまたはラジオ放送を受信するために必要な情報に重み付けをする際の動作を示すフローチャート、図１６は本発明の実施の形態の移動端末装置におけるテレビまたはラジオ放送を受信するために必要な情報の重みに従って放送を受信する際の動作を示すフローチャート、図１７は本発明の実施の形態の移動端末装置におけるテレビまたはラジオ放送を受信するために必要な情報を復号するための暗号鍵の取得を要求する際の動作を示すフローチャート（１）、図１８は本発明の実施の形態の移動体通信ネットワーク制御装置におけるテレビまたはラジオ放送を受信するために必要な情報に対して課金する際の動作を示すフローチャート（１）、図１９は本発明の実施の形態の移動端末装置における暗号鍵を用いてテレビまたはラジオ放送を受信するために必要な情報を取得する際の動作を示すフローチャート（１）、図２０は本発明の実施の形態の移動端末装置におけるテレビまたはラジオ放送を受信するために必要な情報を復号するための暗号鍵の取得を要求する際の動作を示すフローチャート（２）、図２１は本発明の実施の形態の移動体通信ネットワーク制御装置におけるテレビまたはラジオ放送を受信するために必要な情報に対して課金する際の動作を示すフローチャート（２）、図２２は本発明の実施の形態の移動端末装置における暗号鍵を用いてテレビまたはラジオ放送を受信するために必要な情報を取得する際の動作を示すフローチャート（２）である。
（実施の形態１）
本発明の実施の形態１について、図１、図２、図３、図４、図５、図６、図７、図１０、図１１、図１４、図１６を用いて以下に説明する。
【００３２】
図１において、放送情報管理サーバー１０８は、移動端末装置１０２がテレビおよびラジオ放送を受信するために必要な各チャンネルの割り当てに関する情報や放送信号の特性を示す情報を、各地域、即ちエリアのエリアコード毎に管理している。なお、エリアコードとは、例えば東京や大阪など、同一のテレビおよびラジオ放送が行われている地域を識別するコードである。また、送信局１０９は、前記放送情報管理サーバー１０８から前記テレビおよびラジオ放送を受信するために必要な情報を取得し、放送を電波によって送信している。
【００３３】
移動体通信システム１０１において、報知情報・視聴情報管理サーバー１０５は、前記放送情報管理サーバー１０８とＷＡＮ（Ｗｉｄｅ  Ａｒｅａ  Ｎｅｔｗｏｒｋ）などの手段によって接続されている。そして、前記報知情報・視聴情報管理サーバー１０５は、前記放送情報管理サーバー１０８から、前記テレビおよびラジオ放送を受信するために必要な、各チャンネルの割り当てに関する情報や放送信号の特性を示す情報を、各地域のエリアコード毎に取得する。また、移動体通信ネットワーク制御装置１０４は、前記報知情報・視聴情報管理サーバー１０５と専用の通信回線で接続されており、前記テレビおよびラジオ放送を受信するために必要な各チャンネルの割り当てに関する情報や放送信号の特性を示す情報を、各地域のエリアコード毎に取得する。
【００３４】
なお、前記報知情報・視聴情報管理サーバー１０５は、視聴率管理サーバー１１１とも接続されており、移動端末装置１０２が現在選局している、または過去に選局したテレビおよびラジオ放送のチャンネルに関する情報を、視聴率管理サーバー１１１に対して送信することが可能である。
【００３５】
また、移動体通信ネットワーク制御装置１０４は、予め無線基地局装置１０３の位置および前記エリアコードが示す地域を、例えば住所や緯度・経度などの情報によって記憶している。そして、あるエリアコードが示す地域に、ある無線基地局装置１０３の位置が含まれる場合、当該エリアコードと、当該無線基地局装置１０３を対応付けする。また、あるエリアコードが示す地域に、ある無線基地局装置１０３の位置が含まれる場合であって、そのエリアコードが示す地域に隣接したエリアが存在する場合、前記隣接したエリアのエリアコードと、当該無線基地局装置１０３を対応付けする。そして、対応付けされたエリアコードと、テレビおよびラジオ放送を受信するために必要な情報を、各無線基地局装置１０３に対して送信する。
【００３６】
また、移動体通信ネットワーク制御装置１０４は、前記複数のテレビおよびラジオ放送を受信するために必要な情報に対して、重み付け、即ち優先度の設定を行う。重み付けは、具体的には、前記テレビおよびラジオ放送を受信するために必要な情報に含まれるエリアコード、および放送信号の特性を示す情報によって行われる。
【００３７】
そして、移動体通信ネットワーク制御装置１０４は、無線基地局装置１０３と専用の回線で接続されており、前記テレビおよびラジオ放送を受信するために必要な各チャンネルの割り当てに関する情報や放送信号の特性を示す情報を、エリアコード毎に、報知情報の一部として、各無線基地局装置１０３に対して送信する。
【００３８】
そして、無線基地局装置１０３は、前記テレビおよびラジオ放送を受信するために必要な各チャンネルの割り当てに関する情報や放送信号の特性を示す情報を、報知情報として、移動端末装置１０２に対して送信する。
【００３９】
次に、移動端末装置１０２は、報知情報から前記テレビおよびラジオ放送を受信するために必要な各チャンネルの割り当てに関する情報や、放送信号の特性を示す情報を取得する。そして、移動端末装置１０２は、前記テレビおよびラジオ放送を受信するために必要な各チャンネルの割り当てに関する情報や、放送信号の特性を示す情報を用いて、テレビおよびラジオ放送を即座に視聴することができる。
【００４０】
なお、エリアとエリアコード、およびテレビおよびラジオ放送の送信局と、無線基地局装置との関係は、図６で示される。
図６において、無線基地局装置（１）６０３、無線基地局装置（２）６０５は、それぞれエリア（１）６０１、エリア（２）６０２に属し、各エリアに関連したエリアコードが対応付けされる。一方、無線基地局装置（３）６０４は、エリア（１）６０１とエリア（２）６０２の両方に属し、２つのエリアコードが対応付けされる。
【００４１】
また、前記エリアコードやエリア情報は、図７で示される構造になっており、移動体通信ネットワーク制御装置で選択された当該無線基地局装置が属するエリアと隣接するエリアのエリアコード７０４毎に、各エリア情報７０５が対応する構造になっている。
【００４２】
エリア情報７０５は、エリア情報の重みを示す優先度７０６と、チャンネル割当ておよび伝送パラメータ７０７から構成され、さらに伝送パラメータ７０７は、物理チャンネル番号７０８、サービスチャンネル番号７０９、モード７１０、ガードインタバル７１１、および部分受信のあり／なし７１２から構成されている。
【００４３】
次に、図２、図３、図４、図５を用いて、前記移動端末装置１０２、無線基地局装置１０３、移動体通信ネットワーク制御装置１０４、報知情報・視聴情報管理サーバー１０５の各機能ブロックの関係を以下に説明する。
【００４４】
図５は報知情報・視聴情報管理サーバー１０５の機能ブロック図である。図５において、報知情報・視聴情報管理サーバー５０１は、放送情報管理サーバー５０７から、エリアコードや、テレビおよびラジオ放送を受信するために必要な各チャンネルの割り当てに関する情報や、放送信号の特性を示す情報を、外部回線制御部５０５を通じて受信し、制御部５０２を経由して、記憶部５０４に記憶する。そして、報知情報・視聴情報管理サーバー５０１は、制御部５０２において、前記エリアコードと、テレビおよびラジオ放送を受信するために必要な情報をエリア情報として、回線制御部５０３によって、移動体通信ネットワーク制御装置５０６に対して送信する。
【００４５】
図４は移動体通信ネットワーク制御装置１０４の機能ブロック図である。移動体通信ネットワーク制御装置４０１は、制御部４０２において、前記エリアコードとエリア情報を、外部回線制御部４０７によって、報知情報・視聴情報管理サーバー４０９から受信し、記憶部４０４に記憶する。そして、制御部４０２において、記憶部４０４に予め記憶されている前記無線基地局装置の位置に関する情報を用いて、各無線基地局装置の位置と、エリアコードとの対応づけを行い、その結果を記憶部４０４に記憶する。
【００４６】
また、制御部４０２において、各無線基地局装置に対応づけられた前記エリア情報に対して重み付けを行い、その結果を記憶部４０４に記憶する。そして、制御部４０２において、前記重みづけを行ったエリア情報を、エリアコードと共に各無線基地局装置の報知情報に加え、回線制御部４０３によって、無線基地局装置４０８に対して送信する。
【００４７】
図３は無線基地局装置１０３の機能ブロック図である。図３において、無線基地局装置３０１は、報知情報を、回線制御部３０３によって、移動体通信ネットワーク制御装置３０７から受信し、制御部３０２を通じて記憶部３０５に記憶する。そして、前記報知情報を、移動体通信変復調部３０４によって変調し、移動端末装置３０８に対して送信する。
【００４８】
図２は移動端末装置１０２の機能ブロック図である。図２において、移動端末装置２０１は、報知情報を、移動体通信変復調部２０３によって復調し、記憶部２０４に記憶する。そして、制御部２０２において、前記報知情報から、前記エリアコードとエリア情報を取得し、これらの情報を用いて、テレビおよびラジオ放送受信部２０７において、テレビおよびラジオ放送の送信局２０９からのテレビおよびラジオ放送の受信を行う。
【００４９】
なお、前記報知情報から取得した前記エリアコードとエリア情報が複数ある場合、制御部２０２は、それらの情報の重み、即ち優先度が最も大きいものを取得し、テレビおよびラジオ放送受信部２０７に設定する。そして、テレビおよびラジオの受信状態が悪い場合、制御部２０２は、次に優先度が大きい情報を、テレビおよびラジオ放送受信部２０７に設定する。
【００５０】
なお、図４の前記移動体通信ネットワーク制御装置４０１の制御部４０２における前記エリアコードとエリア情報を、報知情報・視聴情報管理サーバー４０９から受信した際の処理は、図１０のフローチャートに示されるように、次のように行われる。
【００５１】
まず、各エリアコードとエリア情報を報知情報・視聴情報管理サーバーより取得する（１００１）。そして、無線基地局装置を１つ選択し（１００２）、記憶部に予め記憶されている無線基地局装置の位置と、同じく記憶部に予め記憶されているエリアコードが示す位置との対応付けを行う。そして、各無線基地局装置に対して、当該無線基地局装置を含むエリアのエリアコードと、そのエリアに隣接したエリアのエリアコードが対応付けされる。
【００５２】
次に、当該無線基地局装置の位置から対応する地域のエリアコードを選択し（１００３）、選択したエリアコードの地域に隣接するエリアコードを複数選択し（１００４）、すべての無線基地局装置に対してエリアコードの選択を行ったかどうかを判定し（１００５）、すべての無線基地局装置に対してエリアコードの選択を行った後、選択したエリアコードと関連するエリア情報を各無線基地局装置に送信する（１００６）。
【００５３】
また、前記移動体通信ネットワーク制御装置４０１の制御部４０２における前記エリアコードとエリア情報に重み付けを行う際の処理は、図１４のフローチャートに示されるように、次のように行われる。
【００５４】
まず、無線基地局装置を１つ選択し（１４０１）、当該無線基地局装置に関するエリアコードを１つ選択して関連するエリア情報を選択し（１４０２）、優先度をガードインタバルから計算し（１４０３）、当該無線基地局装置が属するエリアコードかどうかを判定（１４０４）、即ち当該無線基地局装置の位置が、前記選択したエリアコードによって示されるエリアに含まれるかどうかを判定する。
【００５５】
なお、当該無線基地局装置の位置が、前記選択したエリアコードによって示されるエリアに含まれる場合の優先度は（１４０５）、含まれない場合の優先度より（１４０６）も優先度を大きく計算される。そして、移動体通信ネットワーク制御装置が指定した優先度を計算に反映し（１４０７）、隣接するコードも含めてすべてのエリアコードを選択したかどうかの判定を行い（１４０８）、当該無線基地局装置に関するすべてのエリアコードについて優先度の計算を行った場合、すべての無線基地局装置を選択したかを判定し（１４０９）、すべての無線基地局装置に対して、エリアコードとエリア情報の重み付けを行う。
【００５６】
また、図３の無線基地局装置３０１の制御部３０２における前記エリアコードとエリア情報を、移動体通信ネットワーク制御装置３０７から受信した際の処理は、図１１のフローチャートに示されるように、次のように行われる。
【００５７】
まず、移動体通信ネットワーク制御装置からエリアコードとエリア情報を取得し（１１０１）、暗号化が必要かどうかを判定する（１１０２）。そして、本実施の形態では、暗号化は不要であるので、エリアコードとエリア情報を報知情報によって移動端末装置３０８に対して送信する（１１０４）。
【００５８】
また、図２の移動端末装置２０１の制御部２０２における前記エリアコードとエリア情報に付けられた重み、即ち優先度に従って、テレビおよびラジオ放送を受信するための処理は、図１６のフローチャートに示されるように、次のように行われる。
【００５９】
まず、報知情報を受信し（１６０１）、前記エリアコードとエリア情報を取得する（１６０２）。そして、前記エリアコードとエリア情報を記憶部に記憶し（１６０３）、優先度順にエリア情報を１つ選択する（１６０４）。次に、選択したエリア情報をテレビおよびラジオ放送受信部に設定し（１６０５）、テレビおよびラジオ放送の受信状態の良否を、例えば放送の信号に対するノイズ成分の割合が、予め記憶部に記憶されている値より小さければ受信状態が良好であり、大きければ受信状態が悪いと判定し（１６０６）、もし受信状態が悪い場合は、その次に優先度が大きいエリア情報を１つ選択し（１６０４）、選択したエリア情報をテレビおよびラジオ放送受信部に設定する（１６０５）。そして、受信状態が良好であった場合、選択したエリアコードと、前記放送の信号に対するノイズ成分の割合などの受信状態を記憶部に記憶し（１６０７）、放送の視聴を開始する（１６０８）。
（実施の形態２）
本発明の実施の形態２について、図１、図２、図３、図１２、図１５を用いて以下に説明する。
【００６０】
なお、本実施の形態における前記実施の形態１との相違は次の通りである。テレビおよびラジオ放送を受信するために必要な各チャンネルの割り当てに関する情報や、放送信号の特性を示す情報を、無線基地局装置に備え付けられたテレビおよびラジオ放送の受信装置から取得する。テレビおよびラジオ放送を受信するために必要な各チャンネルの割り当てに関する情報や放送信号の特性を示す情報に対する重み付けを、無線基地局装置にて行う。
【００６１】
図１において、放送情報管理サーバー１０８は、テレビおよびラジオ放送を受信するために必要な各チャンネルの割り当てに関する情報や、放送信号の特性を示す情報を、各地域、即ちエリアのエリアコード毎に管理している。また、送信局１０９は、前記放送情報管理サーバー１０８から前記テレビおよびラジオ放送を受信するために必要な情報を取得し、放送を電波によって送信している。
【００６２】
移動体通信システム１０１において、報知情報・視聴情報管理サーバー１０５は、前記放送情報管理サーバー１０８とＷＡＮ（Ｗｉｄｅ  Ａｒｅａ  Ｎｅｔｗｏｒｋ）などの手段によって接続されている。また、移動体通信ネットワーク制御装置１０４は、前記報知情報・視聴情報管理サーバー１０５と専用の通信回線で接続されている。なお、前記報知情報・視聴情報管理サーバー１０５は、視聴率管理サーバー１１１とも接続されており、移動端末装置１０２が現在選局している、または過去に選局したテレビおよびラジオ放送のチャンネルに関する情報を、視聴率管理サーバー１１１に対して送信することが可能である。また、移動体通信ネットワーク制御装置１０４は、無線基地局装置１０３と専用の回線で接続されている。
【００６３】
そして、無線基地局装置１０３には、テレビおよびラジオ放送の受信装置が備え付けられており、この受信装置によって、エリアコードや、テレビおよびラジオ放送を受信するために必要な各チャンネルの割り当てに関する情報や、放送信号の特性を示す情報、即ちエリア情報を取得する。なお、前記無線基地局装置１０３内のテレビおよびラジオ放送の受信装置は、テレビおよびラジオ放送を受信する際に、同時にエリアコードやエリア情報を取得することが可能である。
【００６４】
また、このエリア情報は、前記実施の形態１における図６の無線基地局装置（３）６０４の例のように、無線基地局装置１０３の位置によっては複数取得され得る。そのため、エリア情報が、テレビおよびラジオ放送の受信装置によって複数取得された場合、無線基地局装置１０３は、これらの情報に対して重み付けを行う。重み付けは、具体的には、エリア情報に含まれる放送信号の特性を示す情報によって行われる。そして、無線基地局装置１０３は、エリアコードとエリア情報を、報知情報として、移動端末装置１０２に対して送信する。
【００６５】
次に、移動端末装置１０２は、報知情報から前記エリアコードとエリア情報を取得する。そして、移動端末装置１０２は、前記エリア情報に含まれる各チャンネルの割り当てに関する情報や、放送信号の特性を示す情報を利用して、テレビおよびラジオ放送を即座に視聴することができる。
【００６６】
次に、図２、図３を用いて、前記移動端末装置１０２、無線基地局装置１０３の各機能ブロックの関係を以下に説明する。
図３は無線基地局装置１０３の機能ブロック図である。無線基地局装置３０１は、テレビおよびラジオ放送受信部３０６において、テレビおよびラジオ放送を受信する。そして、テレビおよびラジオ放送受信部３０６は、エリアコードと、テレビおよびラジオ放送を受信するために必要な各チャンネルの割り当てに関する情報や、放送信号の特性を示す情報、即ちエリア情報を、制御部３０２に通知する。
【００６７】
次に、制御部３０２は、前記エリア情報に対して重み付けを行うことによって優先度を付与し、前記エリア情報を前記優先度と共に記憶部３０５に記憶する。そして、制御部３０２において、前記エリアコードとエリア情報を報知情報に加え、移動体通信変復調部３０４によって変調し、移動端末装置３０８に対して送信する。
【００６８】
図２は移動端末装置１０２の機能ブロック図である。移動端末装置２０１は、報知情報を、移動体通信変復調部２０３によって復調し、制御部２０２を通して記憶部２０４に記憶する。そして、制御部２０２において、前記報知情報から、前記エリアコードとエリア情報を取得し、これらの情報を、テレビおよびラジオ放送受信部２０７に設定することによって、テレビおよびラジオ放送の受信を行う。なお、前記報知情報から取得したエリアコードとエリア情報が複数ある場合、制御部２０２は、それらの情報の重み、即ち優先度が最も大きいものを取得し、テレビおよびラジオ放送受信部２０７に設定する。そして、テレビおよびラジオの受信状態が悪い場合、制御部２０２は、次に優先度が大きい情報を、テレビおよびラジオ放送受信部２０７に設定する。
【００６９】
なお、図３の無線基地局装置３０１の制御部３０２における前記エリアコードとエリア情報を、テレビおよびラジオ放送の受信部３０６から取得する際の処理は、図１２のフローチャートに示されるように、次のように行われる。
【００７０】
まず、テレビおよびラジオ放送受信部からエリアコードと関連するエリア情報を取得する（１２０１）。そして、各エリア情報に対して重み付けを行い（１２０２）、これらのエリア情報に対して暗号化が必要か否かを判定する（１２０３）。本実施の形態では暗号化は不要であるので、エリアコードと関連するエリア情報を、報知情報によって移動通信端末に対して送信する（１２０５）。
【００７１】
また、図３の無線基地局装置３０１の制御部３０２における前記エリア情報に対して重み付けを行う際の処理は、図１５のフローチャートに示されるように、次のように行われる。
【００７２】
まず、テレビおよびラジオ放送の受信部から取得した複数のエリア情報を、１つずつ選択する（１５０１）。そして、優先度を電波の伝播状況から計算する（１５０２）。なお、電波の伝播状況は、例えば放送の信号に対するノイズ成分の割合を用いて表現される。次に、優先度をガードインタバルによって計算し（１５０３）、すべてのエリア情報について、前記優先度の計算を行う（１５０４）。
【００７３】
図４の移動体通信ネットワーク制御装置４０１の制御部４０２における前記テレビおよびラジオ放送を受信するために必要な情報を、報知情報・視聴情報管理サーバー４０９から受信した際の処理は、図１０のフローチャートに示されるように、次のように行われる。
【００７４】
まず、各エリアコードとエリア情報を報知情報・視聴情報管理サーバーより取得し（１００１）、無線基地局装置を１つ選択し（１００２）、当該無線基地局装置の位置から対応する地域のエリアコードを選択し（１００３）、選択したエリアコードの地域に隣接するエリアコードを複数選択し（１００４）、すべての無線基地局装置に対してエリアコードの選択を行ったかどうかを判定し（１００５）、すべての無線基地局装置に対してエリアコードの選択を行った後、選択したエリアコードと関連するエリア情報を各無線基地局装置に送信する（１００６）。
【００７５】
また、図４の移動体通信ネットワーク制御装置４０１の制御部４０２における前記テレビおよびラジオ放送を受信するために必要な情報に重み付けを行う際の処理は、図１４のフローチャートに示されるように、次のように行われる。
【００７６】
まず、無線基地局装置を１つ選択し（１４０１）、当該無線基地局装置に関するエリアコードを１つ選択して関連するエリア情報を選択し（１４０２）、優先度をガードインタバルから計算し（１４０３）、当該無線基地局装置が属するエリアコードかどうかを判定（１４０４）、即ち当該無線基地局装置の位置が、前記選択したエリアコードによって示されるエリアに含まれるかどうかを判定する。
【００７７】
なお、当該無線基地局装置の位置が、前記選択したエリアコードによって示されるエリアに含まれる場合の優先度（１４０５）は、含まれない場合の優先度（１４０６）よりも優先度を大きく計算される。そして、移動体通信ネットワーク制御装置が指定した優先度を計算に反映し（１４０７）、隣接するコードも含めてすべてのエリアコードを選択したかどうかの判定を行い（１４０８）、当該無線基地局装置に関するすべてのエリアコードについて優先度の計算を行った場合、すべての無線基地局装置を選択したかを判定し（１４０９）、すべての無線基地局装置に対して、対応づけされたテレビおよびラジオ放送を受信するために必要な情報の重み付けを行う。
（実施の形態３）
本発明の実施の形態３について、図１、図２、図３、図４、図５、図１３、図１５を用いて以下に説明する。
【００７８】
なお、本実施の形態３における前記実施の形態１との相違は次の通りである。テレビおよびラジオ放送を受信するために必要な各チャンネルの割り当てに関する情報や、放送信号の特性を示す情報を、移動体通信ネットワーク制御装置および無線基地局装置に備え付けられたテレビおよびラジオ放送の受信装置から取得する。
【００７９】
図１において、放送情報管理サーバー１０８は、テレビおよびラジオ放送を受信するために必要な各チャンネルの割り当てに関する情報や、放送信号の特性を示す情報を、各地域、即ちエリアのエリアコード毎に管理している。また、送信局１０９は、前記放送情報管理サーバー１０８から前記テレビおよびラジオ放送を受信するために必要な情報を取得し、放送を電波によって送信している。
【００８０】
移動体通信システム１０１において、報知情報・視聴情報管理サーバー１０５は、前記放送情報管理サーバー１０８とＷＡＮ（Ｗｉｄｅ  Ａｒｅａ  Ｎｅｔｗｏｒｋ）などの手段によって接続されている。そして、前記報知情報・視聴情報管理サーバー１０５は、前記放送情報管理サーバー１０８から、前記テレビおよびラジオ放送を受信するために必要な各チャンネルの割り当てに関する情報や、放送信号の特性を示す情報を、各地域のエリアコード毎に取得する。
【００８１】
また、移動体通信ネットワーク制御装置１０４は、前記報知情報・視聴情報管理サーバー１０５と専用の通信回線で接続されており、前記テレビおよびラジオ放送を受信するために必要な各チャンネルの割り当てに関する情報や、放送信号の特性を示す情報を、各地域のエリアコード毎に取得する。
【００８２】
なお、前記報知情報・視聴情報管理サーバー１０５は、視聴率管理サーバー１１１とも接続されており、移動端末装置１０２が現在選局している、または過去に選局したテレビおよびラジオ放送のチャンネルに関する情報を、視聴率管理サーバー１１１に対して送信することが可能である。
【００８３】
また、移動体通信ネットワーク制御装置１０４は、予め無線基地局装置１０３の位置および前記エリアコードが示す地域を、例えば住所や、緯度・経度などの情報によって記憶している。そして、あるエリアコードが示す地域に、ある無線基地局装置１０３の位置が含まれる場合、当該エリアコードと、当該無線基地局装置１０３を対応付けする。また、あるエリアコードが示す地域に、ある無線基地局装置１０３の位置が含まれる場合であって、そのエリアコードが示す地域に隣接したエリアが存在する場合、前記隣接したエリアのエリアコードと、当該無線基地局装置１０３を対応付けする。そして、対応付けされたエリアコードと、テレビおよびラジオ放送を受信するために必要な情報を、各無線基地局装置１０３に対して送信する。
【００８４】
また、移動体通信ネットワーク制御装置１０４は、前記複数のテレビおよびラジオ放送を受信するために必要な情報に対して、重み付け、即ち優先度の設定を行う。重み付けは、具体的には、前記テレビおよびラジオ放送を受信するために必要な情報に含まれるエリアコード、および放送信号の特性を示す情報によって行われる。
【００８５】
そして、移動体通信ネットワーク制御装置１０４は、無線基地局装置１０３と専用の回線で接続されており、前記エリアコード、およびテレビおよびラジオ放送を受信するために必要な各チャンネルの割り当てに関する情報や、放送信号の特性を示す情報、即ちエリア情報を、報知情報の一部として、各無線基地局装置１０３に対して送信する。
【００８６】
そして、無線基地局装置１０３は、前記エリアコードおよびエリア情報を、報知情報から取得すると共に、備え付けられているテレビおよびラジオ放送の受信装置によっても、エリアコードやエリア情報を取得する。そして、エリア情報が、テレビおよびラジオ放送の受信装置によって複数取得された場合、無線基地局装置１０３は、これらの情報に対して重み付けを行う。重み付けは、具体的には、エリア情報に含まれる放送信号の特性を示す情報によって行われる。そして、無線基地局装置１０３は、移動体通信ネットワーク制御装置１０４から取得したエリアコードとエリア情報と、テレビおよびラジオ放送の受信装置から取得したエリアコードとエリア情報を、報知情報として、移動端末装置１０２に対して送信する。
【００８７】
次に、移動端末装置１０２は、報知情報から前記テレビおよびラジオ放送を受信するために必要な各チャンネルの割り当てに関する情報や、放送信号の特性を示す情報を取得する。そして、移動端末装置１０２は、前記エリア情報を用いて、テレビおよびラジオ放送を即座に視聴することができる。
【００８８】
次に、図２、図３、図４、図５を用いて、前記移動端末装置１０２、無線基地局装置１０３、移動体通信ネットワーク制御装置１０４、報知情報・視聴情報管理サーバー１０５の各機能ブロックの関係を以下に説明する。
【００８９】
図５は報知情報・視聴情報管理サーバー１０５の機能ブロック図である。報知情報・視聴情報管理サーバー５０１は、放送情報管理サーバー５０７から、エリアコードや、テレビおよびラジオ放送を受信するために必要な、各チャンネルの割り当てに関する情報や、放送信号の特性を示す情報を、外部回線制御部５０５を通じて受信し、制御部５０２を経由して、記憶部５０４に記憶する。
【００９０】
そして、報知情報・視聴情報管理サーバー５０１は、制御部５０２において、前記エリアコードと、テレビおよびラジオ放送を受信するために必要な情報をエリア情報として、回線制御部５０３によって、移動体通信ネットワーク制御装置５０６に対して送信する。
【００９１】
図４は移動体通信ネットワーク制御装置１０４の機能ブロック図である。移動体通信ネットワーク制御装置４０１は、前記エリアコードとエリア情報を、外部回線制御部４０７によって、報知情報・視聴情報管理サーバー４０９から受信し、制御部４０２を通して、記憶部４０４に記憶する。
【００９２】
そして、制御部４０２において、記憶部４０４に予め記憶されている前記無線基地局装置の位置に関する情報を用いて、各無線基地局装置の位置と、エリアコードとの対応づけを行い、その結果を記憶部４０４に記憶する。また、制御部４０２において、各無線基地局装置に対応づけられた前記エリア情報に対して重み付けを行い、その結果を記憶部４０４に記憶する。そして、制御部４０２において、前記重みづけを行ったエリア情報を、エリアコードと共に各無線基地局装置の報知情報に加え、回線制御部４０３によって、無線基地局装置４０８に対して送信する。
【００９３】
図３は無線基地局装置１０３の機能ブロック図である。無線基地局装置３０１は、報知情報を、回線制御部３０３によって、移動体通信ネットワーク制御装置３０７から受信し、制御部３０２を通じて記憶部３０５に記憶する。そして、テレビおよびラジオ放送受信部３０６において、テレビおよびラジオ放送を受信し、エリアコードとエリア情報を取得する。
【００９４】
そして、制御部３０２は、テレビおよびラジオ放送受信部３０６からエリアコードとエリア情報を取得し、これらのエリア情報に対して重み付けを行った後、重み付けの結果である優先度と共に、記憶部３０５に記憶する。そして、制御部３０２は、前記移動体通信ネットワーク制御装置３０７からもエリアコードとエリア情報を取得する。そして、制御部３０２は、前記テレビおよびラジオ放送受信部３０６から取得したエリアコードとエリア情報とを、報知情報に加え、移動体通信変復調部３０４によって変調し、移動端末装置３０８に対して送信する。
【００９５】
図２は移動端末装置１０２の機能ブロック図である。移動端末装置２０１は、報知情報を、移動体通信変復調部２０３によって復調し、制御部２０２を通じて記憶部２０４に記憶する。そして、制御部２０２において、前記報知情報から、前記エリアコードとエリア情報を取得し、これらの情報を、テレビおよびラジオ放送受信部２０７に設定することによって、テレビおよびラジオ放送の受信を行う。なお、前記報知情報から取得したエリアコードとエリア情報が複数ある場合、制御部２０２は、それらの情報の重み、即ち優先度が最も大きいものを取得し、テレビおよびラジオ放送受信部２０７に設定する。そして、テレビおよびラジオの受信状態が悪い場合、制御部２０２は、次に優先度が大きい情報を、テレビおよびラジオ放送受信部２０７に設定する。
【００９６】
なお、図３の無線基地局装置３０１の制御部３０２における前記エリアコードとエリア情報を、移動体通信ネットワーク制御装置３０７、およびテレビおよびラジオ放送の受信部３０６から取得する際の処理は、図１３のフローチャートに示されるように、次のように行われる。
【００９７】
まず、移動体通信ネットワーク制御装置からエリアコードとエリア情報を取得する（１３０１）。そして、テレビおよびラジオ放送受信部３０６からエリアコードとエリア情報を取得し（１３０２）、テレビおよびラジオ放送受信部３０６から取得したエリア情報に対して重み付けを行う（１３０３）。
【００９８】
次に、エリア情報に対する暗号化が必要かどうかを判定する（１３０４）が、本実施の形態の場合は、暗号化が不要なので、前記移動体通信ネットワーク制御装置から受信したエリアコードとエリア情報と、前記テレビおよびラジオ放送の受信機から取得したエリアコードとエリア情報とを、暗号化せずに、移動端末装置に対して送信する（１３０６）。
【００９９】
なお、図３の無線基地局装置３０１の制御部３０２における前記エリア情報に対して重み付けを行う際の処理は、実施の形態２と同様であり、図１５のフローチャートで示される。
（実施の形態４）
本発明の実施の形態４について、図１、図２、図３、図４、図５、図１７、図１８、図１９を用いて以下に説明する。
【０１００】
なお、本実施の形態４における前記実施の形態１との相違は次の通りである。移動体通信ネットワーク制御装置において、課金情報管理部にて、前記テレビおよびラジオ放送を受信するために必要なエリア情報が課金の対象になることを可能とする。また、前記課金は、移動体通信システムを運営する事業者から、移動端末装置の利用者に対して行われることを可能とする。
【０１０１】
無線基地局装置において、前記エリア情報に対して暗号化を行う。また、前記暗号化を行うための鍵に関する情報は、移動体通信ネットワーク制御装置から、無線基地局装置に対して提供される。
【０１０２】
移動端末装置において、前記暗号化されたエリア情報を復号するための鍵に関する情報は、移動体通信ネットワーク制御装置から、無線基地局装置を経由して提供される。なお、前記鍵に関する情報は、移動体通信ネットワーク制御装置の課金情報管理部において、前記エリア情報の対価として、前記移動体通信システムを運営する事業者から、当該移動端末装置の利用者に対して課金されるよう設定されている場合にのみ提供される。
【０１０３】
図１において、放送情報管理サーバー１０８は、テレビおよびラジオ放送を受信するために必要な各チャンネルの割り当てに関する情報や、放送信号の特性を示す情報を、各地域、即ちエリアのエリアコード毎に管理している。また、送信局１０９は、前記放送情報管理サーバー１０８から前記テレビおよびラジオ放送を受信するために必要な情報を取得し、放送を電波によって送信している。
【０１０４】
移動体通信システム１０１において、報知情報・視聴情報管理サーバー１０５は、前記放送情報管理サーバー１０８とＷＡＮ（Ｗｉｄｅ  Ａｒｅａ  Ｎｅｔｗｏｒｋ）などの手段によって接続されている。そして、前記報知情報・視聴情報管理サーバー１０５は、前記放送情報管理サーバー１０８から、前記テレビおよびラジオ放送を受信するために必要な各チャンネルの割り当てに関する情報や、放送信号の特性を示す情報を、各地域のエリアコード毎に取得する。
【０１０５】
また、移動体通信ネットワーク制御装置１０４は、前記報知情報・視聴情報管理サーバー１０５と専用の通信回線で接続されており、前記テレビおよびラジオ放送を受信するために必要な各チャンネルの割り当てに関する情報や、放送信号の特性を示す情報を、各地域のエリアコード毎に取得する。
【０１０６】
なお、前記報知情報・視聴情報管理サーバー１０５は、視聴率管理サーバー１１１とも接続されており、移動端末装置１０２が現在選局している、または過去に選局したテレビおよびラジオ放送のチャンネルに関する情報を、視聴率管理サーバー１１１に対して送信することが可能である。
【０１０７】
また、移動体通信ネットワーク制御装置１０４は、予め無線基地局装置１０３の位置および前記エリアコードが示す地域を、例えば住所や、緯度・経度などの情報によって記憶している。そして、あるエリアコードが示す地域に、ある無線基地局装置１０３の位置が含まれる場合、当該エリアコードと当該無線基地局装置１０３を対応付けする。また、あるエリアコードが示す地域に、ある無線基地局装置１０３の位置が含まれる場合であって、そのエリアコードが示す地域に隣接したエリアが存在する場合、前記隣接したエリアのエリアコードと当該無線基地局装置１０３を対応付けする。そして、対応付けされたエリアコードと、テレビおよびラジオ放送を受信するために必要なエリア情報を、各無線基地局装置１０３に対して送信する。
【０１０８】
また、移動体通信ネットワーク制御装置１０４は、前記複数のエリア情報に対して、重み付け、即ち優先度の設定を行う。重み付けは、具体的には、前記テレビおよびラジオ放送を受信するために必要な情報に含まれるエリアコード、および放送信号の特性を示す情報によって行われる。そして、移動体通信ネットワーク制御装置１０４は、無線基地局装置１０３と専用の回線で接続されており、前記エリア情報を、エリアコード毎に、報知情報の一部として、各無線基地局装置１０３に対して送信する。また、このとき移動体通信ネットワーク制御装置１０４は、無線基地局装置１０３に対して、エリア情報を暗号化するための鍵に関する情報も送信する。
【０１０９】
そして、無線基地局装置１０３は、移動体通信ネットワーク制御装置１０４から、前記エリア情報、および前記エリア情報を暗号化するための鍵に関する情報を受信し、前記エリア情報を、前記エリア情報を暗号化するための鍵に関する情報によって暗号化し、報知情報に加えて移動端末装置１０２に対して送信する。
【０１１０】
次に、移動端末装置１０２は、報知情報から、前記暗号化されたエリア情報を取得する。そして、移動端末装置１０２は、前記暗号化されたエリア情報を復号するための鍵に関する情報を、無線基地局装置１０３を経由して、移動体通信ネットワーク制御装置１０４に対して要求する。
【０１１１】
前記要求を受信した移動体通信ネットワーク制御装置１０４は、課金情報管理機能部において、前記エリア情報の対価として、移動体通信システム１０１を運営する事業者から、当該要求を送信した移動端末装置１０２の利用者に対して課金されるよう設定されている場合にのみ、当該移動端末装置１０２に対して、前記エリア情報を復号するための鍵に関する情報を送信する。なおここで、当該要求を送信した移動端末装置１０２は、利用者による操作などによって、予め移動体通信ネットワーク制御装置１０４に対して、前記エリア情報に対する対価として課金されることを承諾する旨の通知を行っているものとする。
【０１１２】
そして、移動端末装置１０２は、移動体通信ネットワーク制御装置１０４から、無線基地局装置１０３経由で、前記エリア情報を復号するための鍵に関する情報を取得し、この鍵に関する情報を用いて、前記暗号化されたエリア情報の復号を行う。そして、移動端末装置１０２は、前記エリア情報を用いて、テレビおよびラジオ放送を即座に視聴することができる。
【０１１３】
次に、図２、図３、図４、図５を用いて、前記移動端末装置１０２、無線基地局装置１０３、移動体通信ネットワーク制御装置１０４、報知情報・視聴情報管理サーバー１０５の各機能ブロックの関係を以下に説明する。
【０１１４】
図５は報知情報・視聴情報管理サーバー１０５の機能ブロック図である。報知情報・視聴情報管理サーバー５０１は、放送情報管理サーバー５０７から、エリアコードや、テレビおよびラジオ放送を受信するために必要な各チャンネルの割り当てに関する情報や、放送信号の特性を示す情報を、外部回線制御部５０５を通じて受信し、制御部５０２を経由して、記憶部５０４に記憶する。そして、報知情報・視聴情報管理サーバー５０１は、制御部５０２において、前記エリアコードと、テレビおよびラジオ放送を受信するために必要な情報を、エリア情報として、回線制御部５０３によって、移動体通信ネットワーク制御装置５０６に対して送信する。
【０１１５】
図４は移動体通信ネットワーク制御装置１０４の機能ブロック図である。移動体通信ネットワーク制御装置４０１は、前記エリアコードとエリア情報を、外部回線制御部４０７によって、報知情報・視聴情報管理サーバー４０９から受信し、制御部４０２を通じて記憶部４０４に記憶する。
【０１１６】
そして、制御部４０２において、記憶部４０４に予め記憶されている前記無線基地局装置の位置に関する情報を用いて、各無線基地局装置の位置と、エリアコードとの対応づけを行い、その結果を記憶部４０４に記憶する。また、制御部４０２において、各無線基地局装置に対応づけられた前記エリア情報に対して重み付けを行い、その結果である優先度を記憶部４０４に記憶する。そして、制御部４０２において、前記重み付けを行ったエリア情報を、エリアコードと共に各無線基地局装置の報知情報に加え、回線制御部４０３によって、無線基地局装置４０８に対して送信する。また、制御部４０２は、暗号鍵生成部４０５を通じて、前記エリア情報を暗号化するための鍵に関する情報を生成し、前記生成した鍵に関する情報を、回線制御部４０３を経て、無線基地局装置４０８に対して送信する。
【０１１７】
図３は無線基地局装置１０３の機能ブロック図である。無線基地局装置３０１は、報知情報および前記エリア情報を暗号化するための鍵に関する情報を、回線制御部３０３によって、移動体通信ネットワーク制御装置３０７から受信し、制御部３０２を通じて記憶部３０５に記憶する。そして、制御部３０２は、前記報知情報からエリア情報を取得し、前記エリア情報を、前記暗号化のための鍵に関する情報を用いて暗号化する。そして、無線基地局装置３０１は、制御部３０２において、前記暗号化したエリア情報を、再び前記報知情報に加え、移動体通信変復調部３０４によって変調した後、移動端末装置３０８に対して送信する。
【０１１８】
図２は移動端末装置１０２の機能ブロック図である。移動端末装置２０１は、報知情報を、移動体通信変復調部２０３によって復調し、記憶部２０４に記憶する。そして、制御部２０２において、前記暗号化されたエリア情報を復号するための鍵に関する情報を要求する電文である要求電文を生成し、前記要求電文は、移動体通信変復調部２０３によって変調された後、無線基地局装置２０８を経て、移動体通信ネットワーク制御装置１０４に対して送信される。
【０１１９】
そして、前記要求電文を無線基地局装置２０８から受信した移動体通信ネットワーク制御装置４０１は、制御部４０２において、課金情報管理部４０６を通じて、前記エリア情報の対価として、移動体通信システム１０１を運営する事業者から、前記要求電文を送信した移動端末装置１０２の利用者に対して課金されるよう設定されていることを確認する。なお、前記課金の設定に関する情報は、課金情報管理部４０６において管理されている。
【０１２０】
そして、制御部４０２は、暗号鍵生成部４０５を通じて、前記エリア情報を復号するための鍵に関する情報を生成し、生成された前記鍵に関する情報を、記憶部４０４に記憶した後、無線基地局装置４０８経由で、前記要求を送信した移動端末装置１０２に対して送信する。なお、ここで前記要求電文を送信した移動端末装置２０１は、利用者による操作部２０６の入力によって、予め移動体通信ネットワーク制御装置１０４に対して、前記エリア情報に対する対価として課金されることを承諾する旨の通知を、制御部２０２による電文生成、移動体通信変復調部２０３による変調、そして無線基地局装置２０８への送信によって行っているものとする。
【０１２１】
次に、移動端末装置２０１は、前記エリア情報を復号するための鍵に関する情報を、無線基地局装置２０８から受信し、移動体通信変復調部２０３によって復調した後、制御部２０２を通じて記憶部２０４に記憶する。そして、制御部２０２において、前記鍵に関する情報を用いて、前記報知情報から受信した暗号化されたエリア情報を復号し、この復号したエリア情報をテレビおよびラジオ放送受信部２０７に設定することによって、テレビおよびラジオ放送の受信を行う。なお、前記復号したエリア情報が複数ある場合、制御部２０２は、それらの情報の重み、即ち優先度が最も大きいものを取得し、テレビおよびラジオ放送受信部２０７に設定する。そして、テレビおよびラジオの受信状態が悪い場合、制御部２０２は、次に優先度が大きい情報を、テレビおよびラジオ放送受信部２０７に設定する。
【０１２２】
なお、図２の移動端末装置２０１の制御部２０２における前記暗号化されたエリア情報を復号するための鍵に関する情報を、移動体通信ネットワーク制御装置１０４に対して要求する際の処理は、図１７のフローチャートに示されるように、次のように行われる。
【０１２３】
まず、報知情報を受信し（１７０１）、エリア情報に対して課金されることを承諾しているかどうかを判定する（１７０２）。ここでは、移動端末装置は、予め移動体通信ネットワーク制御装置に対して、前記エリア情報に対する対価として課金されることを承諾する旨の通知を行っており、秘密鍵取得要求において課金の承諾を「する」に設定し（１７０３）、無線基地局装置経由で、移動体通信ネットワーク制御装置に対して秘密鍵取得要求を送信する（１７０４）。なお、秘密鍵とは、例えばＤＥＳやＡＥＳなどの秘密鍵暗号方式によって暗号化された情報を復号するための鍵情報である。
【０１２４】
また、図４の移動体通信ネットワーク制御装置４０１の制御部４０２における前記エリア情報に対して、移動体通信システムを運営する事業者から、前記要求を送信した移動端末装置の利用者に対して課金する設定を行う際の処理は、図１８のフローチャートに示されるように、次のように行われる。
【０１２５】
まず、移動端末装置より、秘密鍵取得要求を受信する（１８０１）。そして、課金情報管理部において、当該要求を送信した移動端末装置が、前記エリア情報の対価として、移動体通信システムを運営する事業者から、前記要求を送信した移動端末装置の利用者に対して課金されるように設定されているかどうか、即ち課金の承諾があるかどうかを判定する（１８０２）。ここで、当該要求を送信した移動端末装置は、予め移動体通信ネットワーク制御装置に対して、前記エリア情報に対する対価として課金されることを承諾する旨の通知を行っており、課金情報管理部において、前記課金の設定を行う（１８０３）。そして、暗号鍵生成部で生成した秘密鍵を移動端末装置に対して送信する（１８０５）。
【０１２６】
そして、図２の移動端末装置２０１の制御部２０２における、前記移動体通信ネットワーク装置から取得した暗号鍵によってエリア情報を取得する際の処理は、図１９のフローチャートに示されるように、次のように行われる。
【０１２７】
まず、暗号鍵である秘密鍵を移動体通信ネットワーク制御装置より取得した後（１９０１）、前記秘密鍵を用いてエリア情報を復号する（１９０２）。そして、復号したエリア情報を記憶部に記憶する（１９０３）。
（実施の形態５）
本発明の実施の形態５について、図１、図２、図３、図４、図５、図９、図２０、図２１、図２２を用いて以下に説明する。
【０１２８】
なお、本実施の形態５における前記実施の形態１との相違は次の通りである。移動端末装置において、テレビまたはラジオ放送の選局の履歴、即ち現在および過去に選局したチャンネルに関する情報を、記憶部に記憶すると共に移動体通信ネットワーク制御装置に対して送信する。移動体通信ネットワーク制御装置において、前記移動端末装置から受信した選局の履歴を、報知情報・視聴情報管理サーバーに対して送信する。報知情報・視聴情報管理サーバーにおいて、前記移動体通信ネットワーク制御装置から受信した選局の履歴を、視聴率調査を行う事業者が管理する視聴率管理サーバーに対して送信する。移動体通信ネットワーク制御装置において、課金情報管理部にて、前記選局の履歴が視聴率調査を行う事業者に対して提供される場合、前記エリア情報に対する課金は、移動体通信システムを運営する事業者から前記視聴率調査を行う事業者に対して行われることを可能とする。
【０１２９】
図１において、放送情報管理サーバー１０８は、テレビおよびラジオ放送を受信するために必要な各チャンネルの割り当てに関する情報や、放送信号の特性を示す情報を、各地域、即ちエリアのエリアコード毎に管理している。また、送信局１０９は、前記放送情報管理サーバー１０８から前記テレビおよびラジオ放送を受信するために必要な情報を取得し、放送を電波によって送信している。移動体通信システム１０１において、報知情報・視聴情報管理サーバー１０５は、前記放送情報管理サーバー１０８とＷＡＮ（Ｗｉｄｅ  Ａｒｅａ  Ｎｅｔｗｏｒｋ）などの手段によって接続されている。
【０１３０】
そして、前記報知情報・視聴情報管理サーバー１０５は、前記放送情報管理サーバー１０８から、前記テレビおよびラジオ放送を受信するために必要な各チャンネルの割り当てに関する情報や、放送信号の特性を示す情報を、各地域のエリアコード毎に取得する。また、移動体通信ネットワーク制御装置１０４は、前記報知情報・視聴情報管理サーバー１０５と専用の通信回線で接続されており、前記テレビおよびラジオ放送を受信するために必要な各チャンネルの割り当てに関する情報や、放送信号の特性を示す情報を、各地域のエリアコード毎に取得する。
【０１３１】
なお、前記報知情報・視聴情報管理サーバー１０５は、視聴率管理サーバー１１１とも接続されており、移動端末装置１０２におけるテレビおよびラジオ放送の選局の履歴、即ち現在選局している、または過去に選局したチャンネルに関する情報を、視聴率管理サーバー１１１に対して送信する。
【０１３２】
また、移動体通信ネットワーク制御装置１０４は、予め無線基地局装置１０３の位置および前記エリアコードが示す地域を、例えば住所や緯度・経度などの情報によって記憶している。そして、あるエリアコードが示す地域に、ある無線基地局装置１０３の位置が含まれる場合、当該エリアコードと当該無線基地局装置１０３を対応付けする。また、あるエリアコードが示す地域に、ある無線基地局装置１０３の位置が含まれる場合であって、そのエリアコードが示す地域に隣接したエリアが存在する場合、前記隣接したエリアのエリアコードと、当該無線基地局装置１０３を対応付けする。そして、対応付けされたエリアコードと、テレビおよびラジオ放送を受信するために必要なエリア情報を、各無線基地局装置１０３に対して送信する。
【０１３３】
また、移動体通信ネットワーク制御装置１０４は、前記複数のエリア情報に対して、重み付け、即ち優先度の設定を行う。重み付けは、具体的には、前記テレビおよびラジオ放送を受信するために必要な情報に含まれるエリアコードおよび放送信号の特性を示す情報によって行われる。
【０１３４】
そして、移動体通信ネットワーク制御装置１０４は、無線基地局装置１０３と専用の回線で接続されており、前記エリア情報を、エリアコード毎に、報知情報の一部として、各無線基地局装置１０３に対して送信する。また、このとき移動体通信ネットワーク制御装置１０４は、無線基地局装置１０３に対して、エリア情報を暗号化するための鍵に関する情報も送信する。
【０１３５】
そして、無線基地局装置１０３は、移動体通信ネットワーク制御装置１０４から、前記エリア情報、および前記エリア情報を暗号化するための鍵に関する情報を受信し、前記エリア情報を、前記エリア情報を暗号化するための鍵に関する情報によって暗号化し、報知情報に加えて移動端末装置１０２に対して送信する。
【０１３６】
次に、移動端末装置１０２は、報知情報から、前記暗号化されたエリア情報を取得する。そして、移動端末装置１０２は、前記暗号化されたエリア情報を復号するための鍵に関する情報を要求するにあたって、テレビまたはラジオ放送の選局の履歴、即ち現在および過去に選局したチャンネルに関する情報を、移動体通信ネットワーク制御装置を経由して、視聴率調査を行う事業者に対して提供する旨の電文を、無線基地局装置１０３を経由して、移動体通信ネットワーク制御装置１０４に対して送信する。
【０１３７】
そして、前記要求を受信した移動体通信ネットワーク制御装置１０４は、課金情報管理機能部において、前記エリア情報の対価として、移動体通信システムを運営する事業者から、視聴率調査を行う事業者に対して課金されるように設定を行い、前記要求を送信した移動端末装置１０２に対して、前記エリア情報を復号するための鍵に関する情報を送信する。
【０１３８】
そして、移動端末装置１０２は、移動体通信ネットワーク制御装置１０４から、無線基地局装置１０３経由で、前記エリア情報を復号するための鍵に関する情報を取得し、この鍵に関する情報を用いて、前記暗号化されたエリア情報の復号を行う。そして、移動端末装置１０２は、前記エリア情報を用いて、テレビおよびラジオ放送を即座に視聴することができる。また、移動端末装置１０２は、テレビまたはラジオ放送の選局の履歴、即ち現在および過去に選局したチャンネルに関する情報を、記憶部に記憶すると共に、無線基地局装置１０３を経由して、移動体通信ネットワーク制御装置１０４に対して定期的に、または任意の時機に送信する。
【０１３９】
そして、前記選局の履歴を受信した移動体ネットワーク制御装置１０４は、報知情報・視聴情報管理サーバー１０５に対して、前記選局の履歴を定期的に、または任意の時機に送信する。また、報知情報・視聴情報管理サーバー１０５は、受信した前記選局の履歴を記憶すると共に視聴率管理サーバー１１１に対して送信する。
【０１４０】
なお、移動体端末装置１０２が、移動体通信ネットワーク制御装置１０４に対して、前記エリア情報を復号するための鍵に関する情報を要求する際の電文の構造は、図９で示されるように、選局履歴送信の許可９０１および課金の承諾９０２から構成され、本実施の形態のように、前記選局の履歴の送信を行う場合は、前記選局履歴送信の許可９０１は「する」に設定される。
【０１４１】
次に、図２、図３、図４、図５を用いて、前記移動端末装置１０２、無線基地局装置１０３、移動体通信ネットワーク制御装置１０４、報知情報・視聴情報管理サーバー１０５の各機能ブロックの関係を以下に説明する。
【０１４２】
図５は報知情報・視聴情報管理サーバー１０５の機能ブロック図である。報知情報・視聴情報管理サーバー５０１は、放送情報管理サーバー５０７から、エリアコードや、テレビおよびラジオ放送を受信するために必要な各チャンネルの割り当てに関する情報や、放送信号の特性を示す情報を、外部回線制御部５０５を通じて受信し、制御部５０２を経由して、記憶部５０４に記憶する。そして、報知情報・視聴情報管理サーバー５０１は、制御部５０２において、前記エリアコードと、テレビおよびラジオ放送を受信するために必要な情報をエリア情報として、回線制御部５０３によって、移動体通信ネットワーク制御装置５０６に対して送信する。
【０１４３】
図４は移動体通信ネットワーク制御装置１０４の機能ブロック図である。移動体通信ネットワーク制御装置４０１は、前記エリアコードとエリア情報を、外部回線制御部４０７によって、報知情報・視聴情報管理サーバー４０９から受信し、制御部４０２を通じて記憶部４０４に記憶する。
【０１４４】
そして、制御部４０２において、記憶部４０４に予め記憶されている前記無線基地局装置の位置に関する情報を用いて、各無線基地局装置の位置とエリアコードとの対応づけを行い、その結果を記憶部４０４に記憶する。また、制御部４０２において、各無線基地局装置に対応づけられた前記エリア情報に対して重み付けを行い、その結果を記憶部４０４に記憶する。そして、制御部４０２において、前記重みづけを行ったエリア情報を、エリアコードと共に各無線基地局装置の報知情報に加え、回線制御部４０３によって、無線基地局装置４０８に対して送信する。また、制御部４０２は、暗号鍵生成部４０５を通じて、前記エリア情報を暗号化するための鍵に関する情報を生成し、前記生成した鍵に関する情報を、回線制御部４０３を経て、無線基地局装置４０８に対して送信する。
【０１４５】
図３は無線基地局装置１０３の機能ブロック図である。無線基地局装置３０１は、報知情報および前記エリア情報を暗号化するための鍵に関する情報を、回線制御部３０３によって、移動体通信ネットワーク制御装置３０７から受信し、制御部３０２を通じて記憶部３０５に記憶する。そして、制御部３０２において、前記報知情報からエリア情報を取得し、前記エリア情報を、前記暗号化のための鍵に関する情報を用いて暗号化する。そして、制御部３０２は、前記暗号化したエリア情報を、再び前記報知情報に加え、移動体通信変復調部３０４によって変調した後、移動端末装置３０８に対して送信する。
【０１４６】
図２は移動端末装置１０２の機能ブロック図である。移動端末装置２０１は、報知情報を、移動体通信変復調部２０３によって復調し、制御部２０２を通じて記憶部２０４に記憶する。そして、制御部２０２において、前記エリア情報を復号するための鍵に関する情報を要求する際の電文において、図９に示す選局履歴送信の許可９０１を「する」に設定し、移動体通信ネットワーク制御装置１０４に対して送信する。なお、前記テレビまたはラジオの選局履歴を、視聴率調査を行う事業者に対して提供する旨の設定は、操作部２０６などの入力手段によって、予め利用者によって設定され、記憶部２０４に記憶されているものとする。
【０１４７】
そして、前記要求電文を受信した移動体通信ネットワーク制御装置４０１は、制御部４０２において、課金情報管理部４０６を通じて、前記エリア情報の対価として、移動体通信システム１０１を運営する事業者から、視聴率調査を行う事業者に対して課金する設定を行う。そして、制御部４０２において、暗号鍵生成部４０５を通じて、前記エリア情報を復号するための鍵に関する情報を生成し、生成した前記鍵に関する情報を、記憶部４０４に記憶した後、無線基地局装置４０８経由で、前記要求を送信した移動端末装置１０２に対して送信する。
【０１４８】
次に、移動端末装置２０１は、前記エリア情報を復号するための鍵に関する情報を、無線基地局装置２０８から受信し、移動体通信変復調部２０３によって復調した後、制御部２０２を通じて記憶部２０４に記憶する。そして、制御部２０２において、前記鍵に関する情報を用いて、前記報知情報から受信した暗号化されたエリア情報を復号し、この復号したエリア情報を、テレビおよびラジオ放送受信部２０７に設定することによって、テレビおよびラジオ放送の送信局２０９から、テレビおよびラジオ放送の受信を行う。なお、前記復号したエリア情報が複数ある場合、制御部２０２は、それらの情報の重み、即ち優先度が最も大きいものを取得し、テレビおよびラジオ放送受信部２０７に設定する。そして、テレビおよびラジオの受信状態が悪い場合、制御部２０２は、次に優先度が大きい情報を、テレビおよびラジオ放送受信部２０７に設定する。
【０１４９】
また、移動端末装置２０１は、制御部２０２において、前記テレビおよびラジオ放送の選局履歴を記憶部２０４に記憶する。そして、制御部２０２において、前記選局履歴を、定期的に、あるいは任意の時機で、無線基地局装置２０８経由で、移動体通信ネットワーク制御装置４０１に対して送信する。
【０１５０】
次に、移動体通信ネットワーク制御装置４０１は、前記選局履歴を、無線基地局装置４０８から受信し、報知情報・視聴情報管理サーバー４０９に対して送信する。そして、報知情報・視聴情報管理サーバー５０１は、受信した前記選局履歴を、制御部５０２を通じて記憶部５０４に記憶すると共に視聴率管理サーバー５０８に対して送信する。
【０１５１】
なお、図２の移動端末装置２０１の制御部２０２における前記暗号化されたエリア情報を復号するための鍵に関する情報を、移動体通信ネットワーク制御装置４０１に対して要求する際の処理は、図２０のフローチャートに示されるように、次のように行われる。
【０１５２】
まず、報知情報を受信する（２００１）。そして、前記テレビまたはラジオ放送の選局履歴を、移動体通信ネットワーク制御装置を経由して、視聴率調査を行う事業者に対して提供することを許可する設定となっているか否かの判定を行う（２００２）。ここで、前記テレビまたはラジオ放送の選局履歴を、視聴率調査を行う事業者に対して提供する旨の設定は、操作部２０６などの入力手段によって、予め利用者によって設定されているので、要求電文における選局履歴送信の許可を「する」に設定し（２００３）、無線基地局装置経由で、移動体通信ネットワーク制御装置に対して秘密鍵取得要求を送信する（２００４）。
【０１５３】
また、図４の移動体通信ネットワーク制御装置４０１の制御部４０２における前記エリア情報に対して、移動体通信システム１０１を運営する事業者から、前記要求を送信した移動端末装置１０２の利用者に対して課金する設定を行う際の処理は、図２１のフローチャートに示されるように、次のように行われる。
【０１５４】
まず、移動端末装置より秘密鍵取得要求を受信する（２１０１）。そして、課金情報管理部において、当該要求を送信した移動端末装置が、前記テレビまたはラジオ放送の選局履歴を、視聴率調査を行う事業者に対して提供する旨の設定を行い（２１０３）、その設定を記憶すると共に暗号鍵生成部で生成した秘密鍵を移動端末装置に対して送信する（２１０５）。
【０１５５】
そして、移動端末装置の制御部２０２における前記移動体通信ネットワーク装置１０４から取得した暗号鍵によってエリア情報を取得する際の処理は、図２２のフローチャートに示されるように、次のように行われる。
【０１５６】
まず、暗号鍵である秘密鍵を移動体通信ネットワーク制御装置より取得した後（２２０１）、前記秘密鍵を用いてエリア情報を復号し（２２０２）、復号したエリア情報を記憶部に記憶する（２２０３）。そして、前記テレビまたはラジオ放送の選局履歴を、視聴率調査を行う事業者に対して提供する旨の設定が行われている場合（２２０４）、前記選局の履歴を、移動体通信ネットワーク制御装置経由で報知情報・視聴情報管理サーバーに対して送信する（２２０５）。
【産業上の利用可能性】
【０１５７】
本発明の無線基地局装置、移動体通信ネットワーク制御装置および移動端末装置は、テレビやラジオ放送を何処でも即座に視聴する機能を持たせることができるもので、携帯電話等の移動通信機器に対応する移動体通信システムに適用できる。
【図面の簡単な説明】
【０１５８】
【図１】本発明の実施の形態の無線基地局装置、移動体通信ネットワーク制御装置および移動端末装置を含む移動体通信システムの構成概念図
【図２】本発明の実施の形態の移動端末装置の機能ブロック図
【図３】本発明の実施の形態の無線基地局装置の機能ブロック図
【図４】本発明の実施の形態の移動体通信ネットワーク制御装置の機能ブロック図
【図５】本発明の実施の形態における報知情報・視聴情報管理サーバーの機能ブロック図
【図６】本発明の実施の形態におけるエリア、エリアコード、無線基地局装置および送信局との関係を表す概念図
【図７】本発明の実施の形態における報知情報を示す概念図
【図８】本発明の実施の形態の移動端末装置において現在および過去に選局したテレビまたはラジオ放送のチャンネルに関する情報を示す概念図
【図９】本発明の実施の形態の移動端末装置がテレビまたはラジオ放送を受信するために必要な情報の取得を要求する際の情報を示す概念図
【図１０】本発明の実施の形態の移動体通信ネットワーク制御装置におけるテレビまたはラジオ放送を受信するために必要な情報を取得する際の動作を示すフローチャート
【図１１】本発明の実施の形態の無線基地局装置における移動体通信ネットワーク制御装置からテレビまたはラジオ放送を受信するために必要な情報を取得する際の動作を示すフローチャート
【図１２】本発明の実施の形態の無線基地局装置におけるテレビまたはラジオ放送の受信機からテレビまたはラジオ放送を受信するために必要な情報を取得する際の動作を示すフローチャート
【図１３】本発明の実施の形態の無線基地局装置における移動体通信ネットワーク制御装置およびテレビまたはラジオ放送の受信機からテレビまたはラジオ放送を受信するために必要な情報を取得する際の動作を示すフローチャート
【図１４】本発明の実施の形態の移動体通信ネットワーク制御装置におけるテレビまたはラジオ放送を受信するために必要な情報に重み付けをする際の動作を示すフローチャート
【図１５】本発明の実施の形態の無線基地局装置におけるテレビまたはラジオ放送を受信するために必要な情報に重み付けをする際の動作を示すフローチャート
【図１６】本発明の実施の形態の移動端末装置におけるテレビまたはラジオ放送を受信するために必要な情報の重みに従って放送を受信する際の動作を示すフローチャート
【図１７】本発明の実施の形態の移動端末装置におけるテレビまたはラジオ放送を受信するために必要な情報を復号するための暗号鍵の取得を要求する際の動作を示すフローチャート（１）
【図１８】本発明の実施の形態の移動体通信ネットワーク制御装置におけるテレビまたはラジオ放送を受信するために必要な情報に対して課金する際の動作を示すフローチャート（１）
【図１９】本発明の実施の形態の移動端末装置における暗号鍵を用いてテレビまたはラジオ放送を受信するために必要な情報を取得する際の動作を示すフローチャート（１）
【図２０】本発明の実施の形態の移動端末装置におけるテレビまたはラジオ放送を受信するために必要な情報を復号するための暗号鍵の取得を要求する際の動作を示すフローチャート（２）
【図２１】本発明の実施の形態の移動体通信ネットワーク制御装置におけるテレビまたはラジオ放送を受信するために必要な情報に対して課金する際の動作を示すフローチャート（２）
【図２２】本発明の実施の形態の移動端末装置における暗号鍵を用いてテレビまたはラジオ放送を受信するために必要な情報を取得する際の動作を示すフローチャート（２）
【符号の説明】
【０１５９】
１０１    移動体通信システム
１０２    移動端末装置
１０３    無線基地局装置
１０４    移動体通信ネットワーク制御装置
１０５    報知情報・視聴情報管理サーバー
１０６    報知情報および暗号鍵、視聴チャンネル情報
１０７    放送システム
１０８    放送情報管理サーバー
１０９    送信局
１１０    視聴率調査会社
１１１    視聴率管理サーバー
【図１】
2006115242.tif 000003
【図２】
2006115242.tif 000004
【図３】
2006115242.tif 000005
【図４】
2006115242.tif 000006
【図５】
2006115242.tif 000007
【図６】
2006115242.tif 000008
【図７】
2006115242.tif 000009
【図８】
2006115242.tif 000010
【図９】
2006115242.tif 000011
【図１０】
2006115242.tif 000012
【図１１】
2006115242.tif 000013
【図１２】
2006115242.tif 000014
【図１３】
2006115242.tif 000015
【図１４】
2006115242.tif 000016
【図１５】
2006115242.tif 000017
【図１６】
2006115242.tif 000018
【図１７】
2006115242.tif 000019
【図１８】
2006115242.tif 000020
【図１９】
2006115242.tif 000021
【図２０】
2006115242.tif 000022
【図２１】
2006115242.tif 000023
【図２２】
2006115242.tif 000024